(57)【要約】      （修正有）【課題】短時間で簡単にサングラスの取り付けや取り外しができるサングラスホルダーを提供する。【解決手段】サングラスホルダーＡは、対向する一対の自由端１０ａ，１０ｂ、１１ａ，１１ｂを有して全体が略Ｕ字形で波形に折曲形成した弾性体からなり自由端１０ａ，１０ｂ、１１ａ，１１ｂにより顔面前方の上方を覆う庇を有する頭部装着具の庇の後方左右側面下端部を夫々挟持する２個のクリップ状のクリップ本体と、この各クリップ本体の一対の自由端のうち頭部装着具の外側に位置する自由端１０ａ、１１ａの上端部に眼鏡型サングラスの左右蔓を各載置保持する載置部１０ｃ、１１ｃと、を有する。【選択図】図１
0003218360.tif 000002
【実用新案登録請求の範囲】
【請求項１】
対向する一対の自由端（１０ａ，１０ｂ）、（１１ａ，１１ｂ）を有して全体が略Ｕ字形で波形に折曲形成した弾性体からなり前記自由端（１０ａ，１０ｂ）、（１１ａ，１１ｂ）により顔面前方の上方を覆う庇（２２）を有する頭部装着具（Ｂ）の前記庇（２２）の後方左右側面下端部（２０）、（２１）を夫々挟持する２個のクリップ状のクリップ本体（１０）、（１１）と、この各クリップ本体（１０）、（１１）の前記一対の自由端のうち前記頭部装着具（Ｂ）の外側に位置する前記自由端（１０ａ）、（１１ａ）の上端部に眼鏡型サングラス（Ｃ）の左右蔓（３０）、（３１）を各載置保持する載置部（１０ｃ）、（１１ｃ）と、を有することを特徴とするサングラスホルダー（Ａ）。
【考案の詳細な説明】
【技術分野】
【０００１】  本考案は、野球帽型帽子やサンバイザー等の顔面前方の上方を覆う庇を有する頭部装着具の前記庇の後方左右側面下端部に装着し、眼鏡型サングラスを載置保持するものに関する。
【背景技術】
【０００２】  暑い時期にサングラスを掛けてゴルフ等の運動をする場合に、サングラスの蔓（耳にかける部分）が耳や耳の上の皮膚に触れると暑苦しく、これを避けるために最近のサングラスには、蔓を真っ直ぐ又は真っ直ぐに近い形状にして頭部装着具の上から頭を挟むように作られている物があるが、動いたりしている間にずり落ちてきて耳や耳の上の皮膚に触れ不快になることがある。【０００３】  このような問題に着目したものとして、頭部装着具にサングラスの蔓を固定するものが知られている（下記「先行技術文献」参照。）。
【先行技術文献】
【特許文献】
【０００４】
【特許文献１】特許第５４１０８０９号公報
【特許文献２】実用新案登録第３０７６９５０号公報
【考案の概要】
【考案が解決しようとする課題】
【０００５】  斯かる先行技術文献によれば、サングラスを頭部装着具の庇の上に固定するには便利であるが、何れもサングラスを外して庇の上に固定保持することを目的としており固定するための手間がかかる。【０００６】  また、ゴルフの場合は、グリーンの凸凹や芝目を確認するためにサングラスを外し、パットが終われば直ちにまたかける、というようにプレィ中の大半の時間はサングラスをかけて時々外す人が多く、そのためには短時間で簡単にサングラスの取り付けや取り外しができることが望まれる。
【課題を解決するための手段】
【０００７】  本考案のサングラスホルダーは、対向する一対の自由端を有して全体が略Ｕ字形で波形に折曲形成した弾性体からなり前記自由端により顔面前方の上方を覆う庇を有する頭部装着具の前記庇の後方左右側面下端部を夫々挟持する２個のクリップ状のクリップ本体と、この各クリップ本体の前記一対の自由端のうち前記頭部装着具の外側に位置する前記自由端の上端部に眼鏡型サングラスの左右蔓を各載置保持する載置部と、を有することを特徴とする。
【考案の効果】
【０００８】  本考案のサングラスホルダーは、頭部装着具への装着が容易で、かつ、サングラスの蔓を載置保持する構成であることから、短時間で簡単にサングラスの取り付けや取り外しができる。
【図面の簡単な説明】
【０００９】
【図１】  本考案の一実施例の斜視図である。
【図２】  同上実施例を頭部装着具に装着した状態の斜視図である。
【図３】  同上実施例にサングラスを載置した状態の斜視図である。
【図４】  図３の要部を切断した断面図である。
【図５】  本考案に係るサングラスホルダーの他の形状を示す説明図である。
【考案を実施するための形態】
【００１０】  サングラスホルダーの対向する一対の自由端を有して全体が略Ｕ字形で波形に折曲形成した弾性体からなる２個のクリップ状のクリップ本体の前記自由端により各クリップ本体を顔面前方の上方を覆う庇を有する頭部装着具の前記庇の後方左右側面下端部を夫々挟持し、この各クリップ本体の前記一対の自由端のうち前記頭部装着具の外側に位置する前記自由端の上端部にある載置部へ眼鏡型サングラスの左右蔓を各載置保持することにより、サングラスを保持することができる。
【実施例】
【００１１】  以下、本考案の一実施例を添付図面に従って説明する。【００１２】  本考案に係るサングラスホルダーＡは、対向する一対の自由端１０ａ，１０ｂ（左側）、１１ａ，１１ｂ（右側）を有して全体が略Ｕ字形で波形に折曲形成した弾性体からなり、自由端１０ａ，１０ｂ、１１ａ，１１ｂにより顔面前方の上方を覆う庇２２を有する頭部装着具Ｂの庇２２の後方側面下端部２０（左側）、２１（右側）を夫々挟持する２個のクリップ状のクリップ本体１０（左側）、１１（右側）と、この各クリップ本体１０、１１の前記一対の自由端のうち頭部装着具Ｂの外側に位置する自由端１０ａ、１１ａの上端部に眼鏡型サングラスＣの蔓３０（左側）、３１（右側）を各載置保持する載置部１０ｃ（左側）、１１ｃ（右側）と、を有している。【００１３】  更に詳しく説明すると、クリップ本体１０、１１は、金属製または合成樹脂製であり、頭部装着具Ｂの外側に位置する自由端１０ａ、１１ａの上端部は外側に向けて上端が上向きに開いた形状の載置部１０ｃ、１１ｃになっており、この載置部１０ｃ、１１ｃと頭部装着具Ｂとの間の空間にサングラスＣの蔓３０、３１を載せて止めることにより、サングラスＢがずり落ちることを防止できる。【００１４】  実際の使用に際しては、クリップ状のクリップ本体１０、１１を頭部装着具Ｂの庇２２の後方側面下端部２０、２１から差し込んで頭部装着具Ｂに予め固定しておき、自由端１０ａ、１１ａの載置部１０ｃ、１１ｃと頭部装着具Ｂとの間の空間にサングラスＢの蔓３０、３１を載せることにより、蔓３０、３１が耳や耳の上の皮膚に触れるこがなくなり、不快感を防止できる。【００１５】  このサングラスホルダーＡは、サングラスＢの取り付けや取り外しが極めて容易であり、かつ安定的にサングラスＢを保持することができるため、歩いたりプレィしたりする時も、また外して帽子の庇２２の上に乗せる時も、サングラスＢを安定的に保持できる。【００１６】  上述のように、サングラスホルダーＡの形状は単純であるためサングラスＢの取り付けや取り外しが短時間で容易に行えることから、サングラスＢの位置を所望の状態に変更することが頻繁に行われる野外スポーツに最適である。【００１７】  なお、本考案は、その趣旨に反しない範囲で種々の変形や応用が可能であることは言うまでもなく、例えば、サングラスホルダーＡの形状は、前記実施例に示したものに限らず、頭部装着具Ｂに前述同様に装着でき、サングラスＣの取り付けや取り外しが前述同程度に行えるものであれば構わない。【００１８】  例えば、サングラスホルダーＡの形状としては、図１で示した他に図５で示すような形状を選択できる。【００１９】  更に、このサングラスホルダーＡの外側に文字や絵（企業マークやゴルフ大会のロゴタイプ等）を印刷やシールの貼付等で付けることにより、宣伝広告効果も生じさせることができ、本考案の商品価値を高めることができる。
【符号の説明】
【００２０】  Ａ  サングラスホルダー
１０，１１  クリップ本体
１０ａ，１０ｂ，１１ａ，１１ｂ  自由端
１０ｃ，１１ｃ  載置部
Ｂ  頭部装着具
２０  左側面下端部
２１  右側面下端部
２２  庇
Ｃ  サングラス
３０  左蔓
３１  右蔓
【図１】
0003218360.tif 000003
【図２】
0003218360.tif 000004
【図３】
0003218360.tif 000005
【図４】
0003218360.tif 000006
【図５】
0003218360.tif 000007